(57)【特許請求の範囲】
【請求項１】
締付・開放自在に対向して配置されたろ板と、それぞれの上縁部が連結された２枚のろ布を含む一対のろ布であって、前記ろ板間に吊られて走行させられる一対のろ布と、を含むろ布走行式フィルタープレスにおけるろ布の吊り装置において、
前記一対のろ布の２枚のろ布のそれぞれの下縁部に設けられた下部ろ布芯金と、
ろ板の上方に設けられた駆動輪と、
前記一対のろ布の上縁部に連結される一端を有し、前記駆動輪に巻き掛けられて前記駆動輪の回転により走行する駆動チェーンと、
前記ろ板の下方に設けられ、前記ろ板の前後において隣接する第１及び第２の一対のろ布のうち前記第１の一対のろ布の前記ろ板側のろ布の第１の下部ろ布芯金側が掛け回される第１のローラーと、
前記ろ板の下方に設けられ、前記第２の一対のろ布の前記ろ板側のろ布の第２の下部ろ布芯金側が掛け回される第２のローラーと、
前記駆動チェーンの他端に連結され、前記第１及び第２の下部ろ布芯金を掛ける吊金具と、を備え、
前記吊金具は、逆Ｌ字形状を呈する水平部及び垂下部を有し、
前記水平部は、前記駆動チェーンの他端に連結され、
前記垂下部は、
前記第１及び第２の下部ろ布芯金それぞれの少なくとも１部を同時に収容するＵ字状の係合深溝と、
前記Ｕ字状の係合深溝の両側縁に形成された前記第１及び第２の下部ろ布芯金を係止する係止突起と、を有し、
前記第１及び第２の下部ろ布芯金はそれぞれ、両端部に、前記吊金具の前記係止突起及び前記係合深溝に係合する円周溝及び首部を有する
ろ布走行式フィルタープレスにおけるろ布の吊り装置。
【請求項２】
前記第１及び第２の下部ろ布芯金が前記係合深溝から外れる前記係合深溝の開口部と前記係合深溝の前記開口部側に収容された前記第２の下部ろ布芯金との距離は、前記ろ布に生じる緩み以上の長さである
請求項１に記載のろ布走行式フィルタープレスにおけるろ布の吊り装置。
【請求項３】
前記吊金具の前記垂下部は、前記係合深溝に連通する水抜用の貫通孔を有する
請求項１又は請求項２に記載のろ布走行式フィルタープレスにおけるろ布の吊り装置。
【請求項４】
前記一対のろ布の上縁部に設けられた上部ろ布芯金をさらに備え、
前記チェーンの前記一端は、前記上部ろ布芯金に連結される
請求項１乃至請求項３の何れか１項に記載のろ布走行式フィルタープレスにおけるろ布の吊り装置。
【請求項５】
前記チェーンと前記吊金具との間に設けられ、前記チェーンと前記吊金具との離間距離を調整する長さ調整機構をさらに備えた
請求項１乃至請求項４の何れか１項に記載のろ布走行式フィルタープレスにおけるろ布の吊り装置。
【請求項６】
締付・開放自在に対向して配置されたろ板と、
それぞれの上縁部が連結された２枚のろ布を含み、前記ろ板間に吊られて走行させられる一対のろ布と、
前記一対のろ布の２枚のろ布のそれぞれの下縁部に設けられた下部ろ布芯金と、
ろ板の上方に設けられた駆動輪と、
前記一対のろ布の上縁部に連結される一端を有し、前記駆動輪に巻き掛けられて前記駆動輪の回転により走行するチェーンと、
前記ろ板の下方に設けられ、前記ろ板の前後において隣接する第１及び第２の一対のろ布のうち前記第１の一対のろ布の前記ろ板側のろ布の第１の下部ろ布芯金側が掛け回される第１のローラーと、
前記ろ板の下方に設けられ、前記第２の一対のろ布の前記ろ板側のろ布の第２の下部ろ布芯金側が掛け回される第２のローラーと、
前記チェーンの他端に連結され、前記第１及び第２の下部ろ布芯金を掛ける吊金具と、を備え、
前記吊金具は、逆Ｌ字形状を呈する水平部及び垂下部を有し、
前記水平部は、前記チェーンの他端に連結され、
前記垂下部は、
前記第１及び第２の下部ろ布芯金それぞれの少なくとも１部を同時に収容するＵ字状の係合深溝と、
前記Ｕ字状の係合深溝の両側縁に形成された前記第１及び第２の下部ろ布芯金を係止する係止突起と、を有し、
前記第１及び第２の下部ろ布芯金はそれぞれ、両端部に、前記吊金具の前記係止突起及び前記係合深溝に係合する円周溝及び首部を有する
ろ布走行式フィルタープレス。
【発明の詳細な説明】
【技術分野】
【０００１】
本発明は、上水汚泥、下水汚泥、産業排水汚泥等を処理するろ布走行式フィルタープレスの走行自在なろ布の吊り装置及び当該ろ布の吊り装置を備えたろ布走行式フィルタープレスに関し、特に、ろ板間に吊るすろ布の着脱が容易で、ろ布の走行時にろ布がろ板間から脱落しないろ布走行式フィルタープレスにおけるろ布の吊り装置及び当該ろ布の吊り装置を備えたろ布走行式フィルタープレスに関する。
【背景技術】
【０００２】
従来、大容量の汚泥を処理するフィルタープレスは、ろ過サイクル時間を短縮するために、ろ板間に吊るしたろ布を走行させてケーキの排出時間を短縮している。ろ布を走行させるフィルタープレスとして、ろ板間に配置した一対のろ布をろ板に立設した正逆回転自在な滑車に吊るし、一対のろ布の一方のろ布と隣接する一対のろ布の他方のろ布とを合着してろ板下方の巻取ロールに巻き取るろ布走行式フィルタープレスが、特許文献１に開示されている。また、ろ布の昇降自在な吊り装置として、ろ布の上縁部に設けた上部ろ布芯金を駆動輪に掛け回した駆動帯に止着し、駆動帯の下端に垂直部の両側壁に前後に貫通するＵ字状の保持部を形成した逆Ｌ字状の吊金具を配設し、隣接するろ布の下端部に設けた支持バーをＵ字状の保持部に係合させたろ布の吊り装置が、特許文献２に開示されている。
【先行技術文献】
【特許文献】
【０００３】
【特許文献１】特開２００４−８１９３０号公報（例えば、段落番号００１７及び段落番号００２２、図２及び図４）
【特許文献２】実公平８―９６３号公報（例えば、請求項１及び段落番号０００８、図４及び図５）
【発明の概要】
【０００４】
従来の滑車と巻取ロールによりろ布を吊るすろ布走行式フィルタープレスは、ろ布間に生成されたケーキは、ろ布を巻取ロールに巻き取ることにより容易に排出が可能であるが、ケーキを排出したろ布にケーキの残渣が付着したまま巻き取ると、ろ布の皺寄りの原因となる。また、ろ板の前後に隣接するろ布を重ね合わせ、巻取ロールに止着するので、ろ布装着の調整に時間を要する。一方、Ｕ字状の保持部を形成した逆Ｌ字状の吊金具をろ布の吊り装置として用いる場合、ろ板間に吊るすろ布の装着と取外しが容易となる反面、ろ布を走行させる際に粘着性の大きい原液等により、吊るしているろ布の張力が緩んでくると、吊金具のＵ字状の保持部からろ布が離脱する恐れがある。
【０００５】
本発明は、ろ板間に吊るすろ布の着脱が容易で、ろ布の走行時の脱落を防止することができるろ布走行式フィルタープレスにおけるろ布の吊り装置及び当該ろ布の吊り装置を備えたろ布走行式フィルタープレスを提供することを目的とする。
【０００６】
本発明の第１のアスペクトは、締付・開放自在に対向して配置されたろ板と、それぞれの上縁部が連結された２枚のろ布を含む一対のろ布であって、前記ろ板間に吊られて走行させられる一対のろ布と、を含むろ布走行式フィルタープレスにおけるろ布の吊り装置において、前記一対のろ布の２枚のろ布のそれぞれの下縁部に設けられた下部ろ布芯金と、ろ板の上方に設けられた駆動輪と、前記一対のろ布の上縁部に連結される一端を有し、前記駆動輪に巻き掛けられて前記駆動輪の回転により走行する駆動チェーンと、前記ろ板の下方に設けられ、前記ろ板の前後において隣接する第１及び第２の一対のろ布のうち前記第１の一対のろ布の前記ろ板側のろ布の第１の下部ろ布芯金側が掛け回される第１のローラーと、前記ろ板の下方に設けられ、前記第２の一対のろ布の前記ろ板側のろ布の第２の下部ろ布芯金側が掛け回される第２のローラーと、前記駆動チェーンの他端に連結され、前記第１及び第２の下部ろ布芯金を掛ける吊金具と、を備え、前記吊金具は、逆Ｌ字形状を呈する水平部及び垂下部を有し、前記水平部は、前記駆動チェーンの他端に連結され、前記垂下部は、前記第１及び第２の下部ろ布芯金それぞれの少なくとも１部を同時に収容するＵ字状の係合深溝を有するろ布走行式フィルタープレスにおけるろ布の吊り装置であることを要旨とする。
【０００７】
前記第１のアスペクトによれば、駆動チェーンをろ板上部の駆動輪に巻き掛けて、一対のろ布をろ板間に吊り下げて、ろ布の下端部をローラーに掛け回して下部ろ布芯金を吊金具の垂下部の係合深溝に挿入するので、並列したろ板列の外側からろ布を昇降自在に吊るすことができる。また、ろ板列の外側から、ろ布の下縁部に配設した下部ろ布芯金を吊金具の係合深溝から抜き出せば、ろ板間に吊るしたろ布の取外しが可能となる。また、定期的に交換が必要な消耗品であるろ布の装着と取り外しが短時間に容易に行える。また、吊金具は強度的に余裕があり、２本の下部ろ布芯金を同じ係合深溝に収容することができるので、特に下方に収容された下部ろ布芯金は吊金具から脱落し難く、下部ろ布芯金の脱落のリスクが半減する。
【０００８】
また、前記第１及び第２の下部ろ布芯金が前記係合深溝から外れる前記係合深溝の開口部と前記係合深溝の前記開口部側に収容された前記第２の下部ろ布芯金との距離は、前記ろ布に生じる緩み以上の長さであってもよい。
【０００９】
前記構成によれば、係合深溝の開口部と開口部側に収容された第２の下部ろ布芯金との距離がろ布に生じる緩み以上の長さであるため、ろ布の走行時に第２の下部ろ布芯金が吊金具の係合深溝内で浮き上がってろ布に緩みが生じたとしても、第２の下部ろ布芯金が吊金具の係合深溝から外れず、ろ板間に吊るしたろ布の走行時の脱落を防止できる。また、２本の下部ろ布芯金を１つの係合深溝に収容する構成となっているため、係合深溝を長くしても吊金具の全長を大きく増大させることがない。
【００１０】
また、前記垂下部は、前記Ｕ字状の係合深溝の両側縁に形成された前記第１及び第２の下部ろ布芯金を係止する係止突起とを有し、前記第１及び第２の下部ろ布芯金はそれぞれ、両端部に、前記吊金具の前記係止突起及び前記係合深溝に係合する円周溝及び首部を有しもよい。
【００１１】
前記構成によれば、下部ろ布芯金の両端部の首部と円周溝が吊金具の係合深溝と係止突起に係合されて摺動するので、円周溝だけでなく首部全体に摩擦抵抗が作用して、ろ布の走行時にろ布が揺動しながら昇降しても下部ろ布芯金が吊金具から外れず、ろ板間に吊るしたろ布の走行時の脱落を防止できる。また、下部ろ布芯金の取付けと取外しが容易である。
【００１２】
また、前記吊金具の前記垂下部は、前記係合深溝に連通する水抜用の貫通孔を有してもよい。
【００１３】
前記構成によれば、ろ布を流下する洗浄排水に含まれる汚泥が吊金具の係合深溝に滞留することがなく、汚泥の積層によって下部ろ布芯金の装着、取外しが阻害されることがない。
【００１４】
また、前記ろ布走行式フィルタープレスにおけるろ布の吊り装置は、前記一対のろ布の上縁部に設けられた上部ろ布芯金をさらに備え、前記チェーンの前記一端は、前記上部ろ布芯金に連結されてもよい。
【００１５】
また、前記ろ布走行式フィルタープレスにおけるろ布の吊り装置は、前記チェーンと前記吊金具との間に設けられ、前記チェーンと前記吊金具との離間距離を調整する長さ調整機構をさらに備えてもよい。
【００１６】
前記構成によれば、ろ板間に吊るす一対のろ布の緊張度を調整することができる。
【００１７】
本発明の第２のアスペクトは、締付・開放自在に対向して配置されたろ板と、それぞれの上縁部が連結された２枚のろ布を含み、前記ろ板間に吊られて走行させられる一対のろ布と、前記一対のろ布の２枚のろ布のそれぞれの下縁部に設けられた下部ろ布芯金と、ろ板の上方に設けられた駆動輪と、前記一対のろ布の上縁部に連結される一端を有し、前記駆動輪に巻き掛けられて前記駆動輪の回転により走行するチェーンと、前記ろ板の下方に設けられ、前記ろ板の前後において隣接する第１及び第２の一対のろ布のうち前記第１の一対のろ布の前記ろ板側のろ布の第１の下部ろ布芯金側が掛け回される第１のローラーと、前記ろ板の下方に設けられ、前記第２の一対のろ布の前記ろ板側のろ布の第２の下部ろ布芯金側が掛け回される第２のローラーと、前記チェーンの他端に連結され、前記第１及び第２の下部ろ布芯金を掛ける吊金具と、を備え、前記吊金具は、逆Ｌ字形状を呈する水平部及び垂下部を有し、前記水平部は、前記チェーンの他端に連結され、前記垂下部は、前記第１及び第２の下部ろ布芯金それぞれの少なくとも１部を同時に収容するＵ字状の係合深溝を有するろ布走行式フィルタープレスであることを要旨とする。
【００１８】
前記第２のアスペクトによれば、前記第１のアスペクトと同様の効果を奏することができる。
【図面の簡単な説明】
【００１９】
【図１】図１は、本発明の実施形態に係るろ布の吊り装置を装着するフィルタープレスの概略側面図である。
【図２】図２は、本発明の実施形態に係るろ布の吊り装置における、フィルタープレスのろ板間に吊るす一対のろ布の斜視図である。
【図３】図３は、本発明の実施形態に係るろ布の吊り装置における、ろ布下縁部の袋部に挿通する下部ろ布芯金の側面図である。
【図４】図４は、本発明の実施形態に係る、ろ板間に吊るしたろ布の吊り装置の要部側面図である。
【図５】図５は、本発明の実施形態に係る、ろ布の上部ろ布芯金に駆動チェーンを止着するろ布の吊り装置の要部側面図である。
【図６】図６は、本発明の実施形態に係る、駆動チェーンの下端部にろ布の下部ろ布芯金を係止するろ布の吊り装置の要部側面図である。
【図７】図７は、本発明の実施形態に係る吊り装置における、下部ろ布芯金を係止する吊金具の斜視図である。
【図８】図８は、本発明の実施形態に係る吊り装置における、下部ろ布芯金を係止する吊金具の斜視図である。
【図９】図９は、本発明の実施形態に係る吊り装置における、駆動チェーンと吊金具の連結状態を示す側面図である。
【図１０】図１０は、本発明の実施形態に係る吊り装置における、駆動チェーンに垂下した吊金具にろ布下縁部の下部ろ布芯金を係止する概念図である。
【発明を実施するための形態】
【００２０】
以下、本発明の実施形態について図面を参照して詳細に説明する。
【００２１】
図１は、本発明の実施形態に係るろ布の吊り装置１００を装着するフィルタープレス１の概略側面図である。フィルタープレス１は、フロントフレーム２、リアーフレーム３、フロントフレーム２とリアーフレーム３とに橋架されたガイドレール４、ガイドレール４に開閉自在に並列に設けられた多数のろ板５、フロントフレーム２に支架されたろ板５の開閉シリンダー６を備える。
【００２２】
図２は、フィルタープレス１のろ板５間に吊るす一対のろ布７，７の斜視図である。一対のろ布７，７の上縁部は、合着されて袋部８を形成している。袋部８の一部は、レーシング状に切り欠かれて、上部ろ布芯金９が挿通されている。上縁部を合着した一対のろ布７，７の下縁部には、それぞれ袋部１０，１０が形成されている。袋部１０，１０には、下部ろ布芯金１１，１１が挿通されている。また、ろ布７，７の上部には、それぞれ給泥孔１３，１３が開口しており、一対のろ布７，７間の上部には、給泥孔１３，１３と連通する開口部を有する給液板１２が設けられている。ろ布７，７の給泥孔１３，１３と給液板１２の開口部とを通して、ろ板５，５間に吊るしたろ布７、７間に原液が供給される。
【００２３】
図３は、ろ布７下縁部の袋部１０に挿通する下部ろ布芯金１１の側面図である。下部ろ布芯金１１の両端部には、円周溝１１ａ，１１ａが削設され、下部ろ布芯金１１の両端に首部１１ｂ，１１ｂが形成されている。
【００２４】
図４は、ろ板５間に吊るしたろ布の吊り装置１００の要部側面図である。ろ布７，７の上縁部に挿通した上部ろ布芯金９の両端部に一対の駆動チェーン１４，１４が連結されている。ろ板５の肩部に一対のブラケット１５，１５が立設されており、ブラケット１５，１５に駆動輪１６，１６が支架されている。駆動輪１６、１６には、駆動チェーン１４，１４が巻き掛けられている。
【００２５】
図５は、ろ布７の上部ろ布芯金９に駆動チェーン１４を止着するろ布の吊り装置１００の要部側面図である。駆動チェーン１４，１４それぞれの一端にタイトナーボルト１７が連結されている。タイトナーボルト１７は、上部ろ布芯金９に挿通し、一対のナット１８，１８により上部ろ布芯金９に固定され、駆動輪１６，１６に巻き掛けられた駆動チェーン１４でろ布７を吊り下げるようになっている。
【００２６】
図４に示すように、駆動輪１６，１６に巻き掛けられてろ布７、７を吊り下げた駆動チェーン１４，１４の他端は、ろ板５の裏面側に垂下している。ろ板５の両側下端から垂下したブラケット１９，１９に一対のローラー２０，２０が支架されている。ろ板５の前後のろ布７，７の下部が、ローラー２０，２０にそれぞれ掛け回され、ろ板５の裏面側に垂下した駆動チェーン１４，１４の下端に係止されている。図示を省略するが、駆動輪１６は、駆動機に連動連結した駆動軸に挿入され、正逆回転可能に設けられている。
【００２７】
図６（ａ）及び（ｂ）は、駆動チェーン１４の下端部にろ布７の下部ろ布芯金１１を係止するろ布の吊り装置１００の要部側面図である。駆動チェーン１４の下端にターンバックル２１が連結され、ジョイントリンク２２を設けた一対のタイトナーボルト２３，２４の一方のタイトナーボルト２３がターンバックル２１に螺合されている。ろ布７の下部ろ布芯金１１を掛ける吊金具２６が、タイトナーボルト２４に離間して螺合する一対のナット３１，３１によりタイトナーボルト２４に固定されて、駆動チェーン１４と連結されている。タイトナーボルト２３に螺合したナット２５でタイトナーボルト２３がターンバックル２１に固定されて、ろ布の吊り装置１００の長さが調節可能となっている。つまり、ろ布の吊り装置１００は、駆動チェーン１４と吊金具２６との離間距離を調整する長さ調整機構を備え、ろ板５，５間に吊るす一対のろ布７，７の緊張度を調整できるようになっている。
【００２８】
図７及び図８は、本発明の実施形態に係る吊金具２６の斜視図である。吊金具２６は、下面に凹溝２７を設けた水平部２８と、水平部２８の側端から下方に垂設した垂下部２９とで逆Ｌ字状に構成されている。下面に凹溝２７を設けた水平部２８の側面には、上下に貫通する係止溝３０が設けられている。
【００２９】
図９は、駆動チェーン１４と吊金具２６の連結状態を示す側面図である。駆動チェーン１４に吊るした下端側のタイトナーボルト２４を吊金具２６の係止溝３０に横方から挿入し、タイトナーボルト２４に螺合した一対のナット３１，３１を係止溝３０の上下から締め付ける。吊金具２６の下面の凹溝２７に下側のナット３１を挿入して回動不能とし、駆動チェーン１４と吊金具２６とを連結する。吊金具２６に係止するタイトナーボルト２４と一対のナット３１，３１とによりろ布の吊るす長さが調整可能となっている。
【００３０】
図７及び図８に示すように、吊金具２６の垂下部２９には、下端部をＵ字状の長溝に形成した係合深溝３２が設けられている。吊金具２６の係合深溝３２の両側縁には、係止突起３３，３３が延設されている。垂下部２９には、係合深溝３２に連通する水抜用の貫通孔３４が設けられている。係合深溝３２は、図示上方に開口し、下部ろ布芯金１１が通過可能な開口部３５を有する。
【００３１】
図３に示す下部ろ布芯金１１の両端部に形成した首部１１ｂ，１１ｂを、駆動チェーン１４に連結した吊金具２６の係合深溝３２に上方から挿入し、下部ろ布芯金１１の円周溝１１ａを吊金具２６の係止突起３３に摺接係合させて、ろ板５，５間に一対のろ布７，７を吊るす。
【００３２】
図１０は、駆動チェーン１４に垂下した吊金具２６にろ布７下縁部の下部ろ布芯金１１を係止する時のろ布の吊り装置１００の概念図である。ガイドレール４に開閉自在に並列したろ板５，５間にろ布７，７を吊るすには、図２に示すように、一対のろ布７，７の上縁部を合着して形成したレーシング状の袋部８に上部ろ布芯金９を挿通し、ろ布７，７の下縁部の袋部１０，１０にそれぞれ下部ろ布芯金１１，１１を挿通する。
【００３３】
図５及び図６（ａ）、（ｂ）に示すように、ろ布７，７の上部ろ布芯金９に駆動チェーン１４と連結したタイトナーボルト１７を挿通して一対のナット１８，１８で固定する。駆動チェーン１４の他端にターンバックル２１を連結し、ジョイントリンク２２を設けた一対のタイトナーボルト２３，２４の一方のタイトナーボルト２３をターンバックル２１に螺合してナット３１で固定する。
【００３４】
図９に示すように、駆動チェーン１４の下端に設けた他方のタイトナーボルト２４に一対のナット３１，３１を離間させて螺合し、吊金具２６の係止溝３０にタイトナーボルト２４を挿入し、凹溝２７に下側のナット３１を回動不能に挿入して、上側のナット３１を螺合して駆動チェーン１４と吊金具２６とを連結する。
【００３５】
図４、図５及び図６（ａ）、（ｂ）に示すように、ろ板５の肩部に立設したブラケット１５，１５に支架した駆動輪１６，１６に一対のろ布７，７に連結した駆動チェーン１４、１４を巻き掛けて、ろ板５、５間に一対のろ布７，７を吊り下げる。図４に示すように、ろ板５の前後のろ布７，７の下端部をろ板５下方のローラー２０，２０にそれぞれ掛け回し、前後のろ布７，７の下縁部に設けた下部ろ布芯金１１の首部１１ｂ，１１ｂを、駆動チェーン１４の下端に連結した吊金具２６の係合深溝３２に落とし込んで、ろ板５，５間に一対のろ布７，７を昇降自在に吊るす。このとき、図示上下に２本の下部ろ布芯金１１が１つの係合深溝３２に収容されている。また、図６（ａ）、（ｂ）に示すように、係合深溝３２の開口部３５と開口部３５側に収容された下部ろ布芯金１１との距離Ｌがろ布に生じる緩み以上の長さとなるように係合深溝３２が形成されている。
【００３６】
本実施形態によれば、駆動チェーン１４の下端に連結したターンバックル２１と、吊金具２６に係止するタイトナーボルト２４とでろ布７の吊り装置１００の長さを調節し、ろ板５，５間に吊るす一対のろ布７，７の緊張度を調整できる。駆動チェーン１４の下端に連結したターンバックル２１と、吊金具２６に係止するタイトナーボルト２４でろ布７の緊張度を緩めれば、吊金具２６の係合深溝３２から下部ろ布芯金１１の首部１１ｂを抜き出すことが可能となり、ろ板５，５間に吊るした一対のろ布７，７の取外しも容易となり、短時間に行える。定期的に交換が必要な消耗品であるろ布７の取付け、取外しにおける作業性が向上する。
【００３７】
また、従来の吊金具は円周溝でのみろ布芯金を係止する構成となっていたため、ろ布芯金が容易に円周溝内を摺接して吊金具から脱落する恐れがあった。しかしながら、本実施形態によれば、ろ布７の昇降時に、下部ろ布芯金１１の円周溝１１ａと首部１１ｂが吊金具２６の係合深溝３２と係合突起３３に係合されて摺接するので、円周溝１１ａだけでなく首部１１ｂ全体に摩擦抵抗が作用して、ろ布７の昇降時にろ布７が揺動しても下部ろ布芯金１１が吊金具２６から外れることがない。
【００３８】
また、従来の吊金具は両側面に溝及び当該溝にろ布心金を通すための開口が設けられ、それぞれの溝に１つのろ布芯金が挿入される構成となっていたため、このような構成をもつ吊金具の１つの溝に２本のろ布芯金を挿入するような構成とすると、吊金具が必要な強度を保てなくなる。しかしながら、本実施形態によれば、上記構成の吊金具２６は強度的に余裕があり、２本の下部ろ布芯金１１を同じ係合深溝３２に収容することができるので、特に下方に収容された下部ろ布芯金１１は吊金具２６から脱落し難く、下部ろ布芯金１１の脱落のリスクが半減する。
【００３９】
また、本実施形態によれば、係合深溝３２の開口部３５と開口部３５側に収容された下部ろ布芯金１１との距離Ｌがろ布に生じる緩み以上の長さとなるように係合深溝３２が形成されているため、ろ布７の上昇時（吊金具２６の下降時）にろ布７が何らかの原因（例えば、ろ布７に設けた給液板１２がろ板５に引っ掛かった場合）により一瞬停止し、且つ吊金具２６が下降を続け、吊金具２６内の下部ろ布芯金１１が浮き上がるような状態となったとしても、下部ろ布芯金１１が吊金具２６の係合深溝３２から外れず、ろ板５間に吊るしたろ布７の走行時の脱落を防止できる。また、２本の下部ろ布芯金１１を１つの係合深溝３２に収容する構成となっているため、係合深溝３２を長くしても吊金具２６の全長を大きく増大させることがない。距離Ｌは、下部ろ布芯金１１が浮き上がる（ろ布７が緩む）可能性のある距離を考慮して適宜決めることができる。
【００４０】
以上、本発明の実施形態について説明したが、本発明は上記実施形態には限定されず、種々の変形が可能である。
【図１】
0005423804.tif 000002
【図２】
0005423804.tif 000003
【図３】
0005423804.tif 000004
【図４】
0005423804.tif 000005
【図５】
0005423804.tif 000006
【図６】
0005423804.tif 000007
【図７】
0005423804.tif 000008
【図８】
0005423804.tif 000009
【図９】
0005423804.tif 000010
【図１０】
0005423804.tif 000011